(57)【要約】入力信号を受信する入力部（１１）と前記入力信号の処理部（１３）を備える、電気通信ネットワーク装置において、入力信号から導出される時間基準と同期したクロック（２２）を発生させる方法が述べられている。前記入力部（１１）において、前記方法は、時間基準信号を入力信号から導出する段階と、基準信号の端部を読み取る段階と、内部データフレームに対するこの端部の位置を確立する段階と、前記フレームに対して前記端部の確立される位置を表すポインタをフレームヘディングに挿入する段階と、前記フレームを前記処理部に送信する段階とを備えている。前記処理部（１３）において、前記方法は、前記フレームを受信する段階と、前記ポインタを抽出する段階と、前記時間基準クロック（２２）を発生させる段階と、それを前記ポインタによって指示されるフレームの位置と同期させる段階とを備えている。また、この方法を適用する装置が提案されている。
2004538718.tif 000002
【特許請求の範囲】
【請求項１】
電気通信ネットワーク装置の入力信号から導出される時間基準と同期したクロックの発生方法であって、
前記電気通信ネットワークが、入力信号を受信する入力部と前記入力信号の処理部とを備え、前記入力及び処理部が入力信号の伝送用ラインによって相互に接続され、入力信号がフレーム構造を備えており、
前記入力部において、
入力信号から前記時間基準信号を導出する段階と、
前記基準信号の端部を読み取る段階と、
入力信号の伝送のために、内部フレーム構造を作成し、前記内部フレーム構造を選定されたクロックに同期させる段階と、
前記内部フレーム構造に対して前記端部の位置を確立する段階と、
前記フレームに対して前記端部の確立された位置を表すポインタを前記内部フレームに挿入する段階と、
前記フレームを前記処理部に送信する段階と、を備え、
前記処理部において、
前記内部フレームを受信する段階と、
前記ポインタを抽出する段階と、
前記ポインタによって指示されるフレームの位置と同期した前記クロックを発生させる段階と、を備える方法。
【請求項２】
前記入力部において、前記フレームの付加ポインタデータを入力する請求項１に記載の方法。
【請求項３】
前記付加データが、前記フレームの前記ポインタが有効であるとみなされているかどうかを指示するデータを含んでいる請求項２に記載の方法。
【請求項４】
前記ポインタが、前記フレームにおいて数回転記される上記請求項のいずれか１つに記載の方法。
【請求項５】
前記処理部において、２つの連続するフレームの前記ポインタによって指示される前記位置を比較し、所定量よりも大きな前記第１フレームポインタに対するシフトが検出される場合に前記２つのフレームのうちの第２フレームの前記ポインタが同期に対して有効でないとみなされる上記請求項のいずれか１つに記載の方法。
【請求項６】
前記処理部が、前記時間基準と同期するための前記クロックを必要とする上記請求項のいずれか１つに記載の方法。
【請求項７】
前記処理部が、連続するフレームにおいてポインタ値を比較し、それが事前設定量より大きい変化を検出する場合にそのポインタ値を無効とみなす上記請求項のいずれか１つに記載の方法。
【請求項８】
前記内部フレーム構造がヘディング（heading）を備え、前記ポインタがそのヘディングに挿入されている上記請求項のいずれか１つに記載の方法。
【請求項９】
前記入力部において、内部クロック発生器によって発生させられるクロックによって前記基準信号をオーバーサンプリングする上記請求項のいずれか１つに記載の方法。
【請求項１０】
入力信号の受信のための入力部と前記入力信号の処理部を備え、前記入力及び処理部が入力信号のための伝送ラインによって相互に接続され、
入力手段が、入力信号の伝送用の選定クロックに同期した内部フレーム構造を作成する手段を備えている電気通信ネットワーク装置であって、
前記入力部が、入力信号から時間基準信号を導出する手段と、前記基準信号の端部を読み取り、前記内部フレーム構造に対して前記端部の位置を確立する手段と、前記内部フレームに対して前記端部の確立された位置を表すポインタを前記処理部に伝送される前記内部フレームに挿入する手段と、を備え、
前記処理部が、受信された内部フレームから前記ポインタを抽出する手段と、前記ポインタによって指示される内部フレームの位置と同期した時間基準クロックを発生させる手段と、を備えることを特徴とする電気通信ネットワーク装置。
【請求項１１】
前記処理部が、２つの連続して受信されるフレームの前記ポインタによって指示される位置を比較し、前記ポインタの比較から、前記第１フレームのポインタに対するシフトが所定量よりも大きいことが判明する場合には、前記クロック発生手段が前記クロック信号を発生させる前記第２フレームのポインタを利用しないように命令する手段を備えている請求項１０に記載の装置。
【請求項１２】
前記基準信号端部を読み取る手段が、内部クロック発生器によって発生させられるクロックにとって前記基準信号をオーバーサンプリングするオーバーサンプラーを備えている請求項１０又は１１に記載の装置。
【請求項１３】
前記処理部が、前記入力信号から導出される時間基準と同期したクロックを必要とする請求項１０から１２のいずれか１つに記載の装置。
【請求項１４】
前記内部フレーム構造がヘディングを備え、前記挿入手段が前記ヘディングに対する前記ポインタを挿入する手段を備えている請求項１０から１３のいずれか１つに記載の装置。
【請求項１５】
請求項１０から１４のいずれか１つに記載の装置を備えている同期データ伝送ネットワーク。
【発明の詳細な説明】
【技術分野】
【０００１】
本発明は、通信システム及びネットワークにおけるタイミング信号の発生方法に関し、この方法を適用する装置に関する。
【背景技術】
【０００２】
同期データ伝送ネットワークに挿入される装置は、正確なオペレーションに対するタイミングソースを提供する機能を必要とする。例えば、08/1997版のITU-T G.783によって定義されるSETS機能は、SDHネットワーク要素のクロックを表す。
【０００３】
タイミング機能は、システムクロックを全ての装置に与える内部発振器機能を含んでいる。内部発振器は、例えばSDHシステムのSETGである同期装置に対するタイミングを発生させる機能によって与えられる基準クロックを受信する。タイミングは、３つの可能な基準ポイントから導出される一連の可能な同期化ソースの中から選定される。これらの可能な基準ポイントは、例えばSTM-Nの同期入力信号、独立同期入力信号（例えばPDH）、又は外部同期入力信号から導出される。３つの場合の全てにおいて、それぞれt1、t2、及びt3と称する基準が得られる。
【０００４】
入力信号からのタイミングを導出する方法は、さまざまな理由で最適である。残念ながら、現在のネットワーク要素、例えばデジタルクロスコネクタは、同期又は独立同期インターフェース入力信号カードを備えているが、タイミングソース機能が実現される装置の中心基点から100メートル程度とかなり離れて配置されている。
【０００５】
従って、信号の整合性を保持しながら、インターフェースカードからのt1又はt2を装置基点に伝送するという問題が存在する。
【０００６】
長距離用の専用ケーブルを介してt1、t2の正確な伝送を行うことができる方法は、特別な信号処理、例えば等化を必要とする。加えて、この方法は、含まれるケーブルの数を増やすことになり、今日、周辺部に対して中心基点を相互に接続するケーブル数は基本的なポイントである。この数を削減できれば、装置は、単純に設置できるようになり、占有スペース及び費用に関して魅力的になり、熱損失問題の危険が少なくなる。
【０００７】
本発明の全般的な目的は、入力信号から導出される基準信号と同期したクロックの遠隔発生方法を利用できるようにすることによって上述した欠点を軽減することである。もう一つの目的は、この方法を適用する装置を利用できるようにすることである。
【発明の開示】
【課題を解決するための手段】
【０００８】
この目的を考慮して、電気通信ネットワーク装置の入力信号から導出される時間基準と同期したクロックの発生方法であって、
前記電気通信ネットワークが、入力信号を受信する入力部と前記入力信号の処理部とを備え、前記入力及び処理部が前記入力信号の伝送用ラインによって相互に接続され、入力信号がフレーム構造を備えており、
前記入力部において、
入力信号から前記タイム基準信号を導出する段階と、
前記基準信号の端部を読み取る段階と、
入力信号の伝送のために、内部フレーム構造を作成し、前記内部フレーム構造を選定されたクロックに同期させる段階と、
前記内部フレーム構造に対して前記端部の位置を確立する段階と、
前記フレームに対して前記端部の確立された位置を表すポインタを前記内部フレームに挿入する段階と、
前記フレームを前記処理部に送信する段階と、を備え、
前記処理部において、
前記内部フレームを受信する段階と、
前記ポインタを抽出する段階と、
前記ポインタによって指示されるフレームの位置と同期した前記クロックを発生させる段階と、を備える方法を本発明に従って提供することが探求される。
【０００９】
さらに、本発明に従い、入力信号の受信のための入力部と前記入力信号の処理部とを備え、前記入力及び処理部が入力信号のための伝送ラインによって相互に接続され、
入力手段が、入力信号の伝送用の選定クロックに同期した内部フレーム構造を作成する手段を備えている電気通信ネットワーク装置であって、
前記入力部が、入力信号から時間基準信号を導出する手段と、前記基準信号の端部を読み取り、前記内部フレーム構造に対して前記端部の位置を確立する手段と、前記内部フレームに対して前記端部の確立された位置を表すポインタを前記処理部に伝送される前記内部フレームに挿入する手段と、を備え、
前記処理部が、受信された内部フレームから前記ポインタを抽出する手段と、前記ポインタによって指示される内部フレームの位置と同期した時間基準クロックを発生させる手段と、を備えることを特徴とする電気通信ネットワーク装置を提供することが探求される。
【発明を実施するための最良の形態】
【００１０】
本発明の革新的な原理の説明及びその優位性を従来技術と比較して明らかにするために、可能性のある実施例を描写することのみの助けを借りて、前記原理を適用している例に限定することなしに以下に説明する。
【００１１】
図を参照すると、電気通信ネットワークの参照番号１０によって全体として設計される装置が概略的に示されている。この装置は、入力信号１２を受信する入力部１１及びこれらの入力信号の処理部１３を備えている。処理部は、装置の中核であり、入力部から非常に遠いこともあり得る。入力及び処理部は、このタイプの装備について通常の機能及び装置を備えており、従って、それらは当業者にとって確実に想像できるものであるため詳細には描写していない。
【００１２】
知られているように、入力部１１及び処理部１３は、フレーム構造を有する入力信号の伝送用ライン２３によって相互に接続されている。
【００１３】
処理部は、入力信号から導出される基準と同期したクロックを必要とする。
【００１４】
基本的に、装備器具に対する入力部のラインカードによって送信されるフレームの同期化データをカプセル化する一方で、トラフィックデータを伝送する同じケーブル２３を同期化のために利用することを考える。
【００１５】
この目的を達成するために、ポインタ機構を利用することを考える。内部フレームは、特定データの伝送のために固有ヘディング（heading）区間を要求する場合、この機構の処理に対する一連のバイトを専用にすることが可能である。
【００１６】
時間基準が入力信号から受け取られる方法に従って、これらの基準の端部は読み取られる。その後、この端部の位置は、データフレーム構造に関して確立され、この位置は、内部フレームヘディングの専用バイトに入力される特定ポインタ値によって識別される。
【００１７】
優位性として、例えば、フレームヘディングの付加バイトに含まれる付加データは、ポインタ発生に関係する付加データの伝送のために提供され得る。基準信号t1又はt2が故障状況にある場合、特定の値が、ポインタ値が有効でないことを示すためにこのフィールドに入力される。基準信号の返信の際に、発生させられる新しいポインタの値が別の特定の値（新しいデータフラグ）によって示される。他の全ての場合、通常の条件は識別される。
【００１８】
ポインタが異なるフレーム内で異なる値をとることができることが注目される。この手法では、t1又はt2から導出されるクロックが内部フローのそれと同期することは必ずしも必要ではない。
【００１９】
ポインタ値が伝送経路に沿った劣化の場合に宛先のポイントで正確に解釈されていることを確実にするために、ポインタの持続性は、同じ内部フレームヘディングで数回ポインタをコピーすることによって優位に保証される。この手法において、宛先ポインタはより良い制御を提供することができる。
【００２０】
受信側では、ポインタが抽出され解釈される装置の中核１３において、フレームに関して基準クロック端部位置が読み取られ、結果として、対応するポインタによって指示されるフレームの位置を用いて各フレームに対してそれを同期化させる一方で、クロックは関連する機能から再構成される。
【００２１】
優位性としては、受信部１３において、制御が２つの連続するフレームの間の極端なポインタ移動を識別するために実現され得る。処理部において、ポインタによって指示される位置は、２つの連続するフレームにおいて比較され、第２フレームのポインタの同期は、第１フレームポインタに関するシフトが所定量より大きい場合には、有効でないとみなされる。
【００２２】
上述した方法を実現するために、本発明に従う装置は、入力部においてタイム基準信号を入力信号から導出する手段１４を備えている。
【００２３】
入力信号から導出される基準信号t1又はt2は、発生器１５によって発生させられる高周波クロックを使ってサンプリング回路１６によってサンプリングされ、検出手段１７を使って前記基準信号の（例えば、正の）端部を読み取る。検出手段１７は、内部データフレームに対する前記端部の位置を確立し、挿入手段１８にそれを渡し、挿入手段１８は、フレームに対する端部の確立された位置を表すポインタを処理部１３に送信されるフレームのヘディングに挿入する。
【００２４】
処理手段１３は、受信されるフレームからのポインタを抽出する手段１９及び前記時間基準クロック２２を発生させる手段２０を順次備え、ポインタによって指示されるフレーム位置を使ってそれを同期させる。また、連続するポインタを比較し、クロック発生器が以前のものに対して過度にシフトされたポインタ位置で同期させるのを抑止する比較手段２１も存在する。
【００２５】
上述した個々の手段の実現は、ここで述べた描写に基づく場合、当業者であれば確実に想像できる。従って、さらに示すことや描写することはしない。
【００２６】
ここに、所定の目的が達成されたことは明らかである。
【００２７】
本発明は、入力信号を受信する入力部と前記入力信号の処理部とを備える電気通信ネットワークの装置における入力信号から導出される時間基準と同期したクロックの発生方法であって、
前記入力及び処理部が前記入力信号の伝送用ラインによって相互に接続され、フレーム構造及び前記処理部が前記時間基準と同期した前記クロックを必要としており、
前記入力部において、
入力信号から前記時間基準信号を導出する段階と、
前記基準信号の端部を読み取る段階と、
内部データフレームに対してこの端部の位置を確立する段階と、
前記フレームに対して前記端部の確立された位置を表すポインタを前記内部フレームヘディングに挿入する段階と、
前記フレームを前記処理部に送信する段階と、を備え、
前記処理部において、
前記フレームを受信する段階と、
前記ポインタを抽出する段階と、
前記時間基準クロックを発生させて、前記ポインタによって指示されるフレームの位置とそれを同期させる段階と、を備える方法を提供する。
【００２８】
また、本発明は、入力信号の受信のための入力部と前記入力信号の処理部を備え、
前記入力及び処理部が、入力信号のための伝送ラインによって相互に接続され、
前記処理部が、入力信号から導出される時間基準と同期したクロックを必要とする電気通信ネットワーク装置であって、
前記入力部が、入力信号から時間基準信号を導出する手段と、基準信号の端部を読み取り、内部データフレームに対して前記端部の位置を確立する手段と、フレームに関して端部の確立された位置を表すポインタを処理部に送信される内部フレームヘディングに挿入する手段と、を備え、
前記処理部が、受信されたフレームから前記ポインタを抽出する手段と、前記時間基準クロックを発生させる一方で、それを前記ポインタによって指示されるフレームの位置と同期させる手段と、を備えることを特徴とする電気通信ネットワーク装置を提供する。
【００２９】
当然のことであるが、本発明の革新的な原理を適用している実施例の上記描写は、ここに請求される排他的権利の範囲内で前記原理の例を限定することなしに与えられている。例えば、フレームの正確な構造及びポインタの位置は、通信プロトコルにおけるフレームの特定処理に依存する。
【国際公開パンフレット】
2004538718.tif 000003
2004538718.tif 000004
2004538718.tif 000005
2004538718.tif 000006
2004538718.tif 000007
2004538718.tif 000008
2004538718.tif 000009
2004538718.tif 000010
2004538718.tif 000011
2004538718.tif 000012
2004538718.tif 000013
2004538718.tif 000014
2004538718.tif 000015
2004538718.tif 000016
2004538718.tif 000017
2004538718.tif 000018
2004538718.tif 000019
【国際公開パンフレット（コレクトバージョン）】
2004538718.tif 000020
【国際調査報告】
2004538718.tif 000021
2004538718.tif 000022